(57)【要約】      （修正有）【課題】円筒形の容器等の側面など、曲面に直接ちぢみ印刷を施した包装用容器を提供する。【解決手段】包装用容器１は、円筒形状の容器側面曲面部にちぢみ印刷を施した。包装用容器は、ちぢみインクを印刷対象物たる円筒形包装用容器にスクリーン印刷により模様塗膜した後、低圧水銀ランプ前面で円筒形包装用容器の搬送を停止し、円筒形包装用容器支持する治具を回転させながら、タイマーにより紫外線照射時間を管理することで曲面にちぢみ模様２を発生させ、次いで高圧水銀ランプ前面まで搬送した後、紫外線を照射することでちぢみ模様２を硬化させ、もって所望のちぢみ模様２を円筒形包装用容器の側面曲面部に印刷した。【選択図】図１
2012218814.tif 000002
【特許請求の範囲】
【請求項１】
容器側面曲面部にちぢみ印刷を施した円筒形包装用容器。
【請求項２】
ちぢみインクを印刷対象物たる円筒形包装用容器にスクリーン印刷により模様塗膜した後、低圧水銀ランプ前面で円筒形包装用容器の搬送を停止し、円筒形包装用容器を支持する治具を回転させながら、タイマーにより紫外線照射時間を管理することで曲面にちぢみ模様を発生させ、次いで高圧水銀ランプ前面まで搬送した後、紫外線を照射することでちぢみ模様を硬化させ、もって所望のちぢみ模様を側面曲面部に印刷した円筒形包装用容器。
【発明の詳細な説明】
【技術分野】
【０００１】
本発明は、紫外線硬化型インキを、ちぢみ用のＵＶ装置に通すことにより生じる「ちぢみ模様」を、曲面に印刷した包装用容器に関する。
【背景技術】
【０００２】
ちぢみ印刷とは、紫外線硬化型インキの一種であるちぢみインクを、印刷対象物上にスクリーン印刷等により模様塗膜した後、低圧水銀ランプによるＵＶ照射によりランダムな皺模様（ちぢみ模様）を発生させ、続いて高圧水銀ランプによるＵＶ照射により当該ちぢみ模様を硬化させる印刷方法である。
【０００３】
このちぢみ印刷は、ラベル、ステッカー、シール、銘板、パネル、カタログ、パンフレット等の平面的な装飾部材に好適に適用可能なものである。
【０００４】
かかるちぢみ印刷を用いた装飾部材を記載した特許文献として、特開２００２−２００８９７号公報がある。同公報記載の発明は、ちぢみ模様図柄層が上面（おもて面）の透明基板と下面（裏面）の反射層（鏡面）との間に形成されたものである。
【０００５】
また、登録実用新案公報第３０５７８３３号には、紫外線硬化型インキを用いて突条を形成したラベルを貼着した包装用容器が明示されている。
【先行技術文献】
【特許文献】
【０００６】
【特許文献１】特開２００２−２００８９７号公報
【特許文献２】登録実用新案公報第３０５７８３３号
【発明の概要】
【発明が解決しようとする課題】
【０００７】
従来のちぢみ印刷は、以下の要素を調節することで、ちぢみ模様を安定的に発生させていた。
【０００８】
１、紫外線照射器たる高出力低圧水銀ランプの電圧
２、当該水銀ランプと塗布インクの距離
３、水銀ランプ直下の印刷対象物の通過速度
かような要素の調節を適宜に行う必要があることから、印刷対象物は平面的なものに限定されていた。
【０００９】
それゆえ、円筒形の容器等には直接ちぢみ印刷を施すことはできず、上記登録実用新案公報第３０５７８３３号記載の発明のように、ラベル等に印刷を施した後、当該ラベルを包装用容器に貼着するという手段をとる必要があったのである。
【００１０】
しかし、かかる手段は別工程が必要となり迂遠でると共に、費用の点でも不経済である。
【００１１】
そこで、本発明は円筒形の容器等の側面など、曲面に直接ちぢみ印刷を施した包装用容器を提供することを目的とする。
【課題を解決するための手段】
【００１２】
上記の目的を達成する本発明の構成は次の通りである。
【００１３】
（１）  請求項１に記載の包装用容器は、円筒形状の容器側面曲面部にちぢみ印刷を施した。
【００１４】
（２）  請求項２に記載の包装用容器は、ちぢみインクを印刷対象物たる円筒形包装用容器にスクリーン印刷により模様塗膜した後、低圧水銀ランプ前面で円筒形包装用容器の搬送を停止し、円筒形包装用容器支持する治具を回転させながら、タイマーにより紫外線照射時間を管理することで曲面にちぢみ模様を発生させ、次いで高圧水銀ランプ前面まで搬送した後、紫外線を照射することで当該ちぢみ模様を硬化させた。
【発明の効果】
【００１５】
紫外線照射量は、ちぢみ模様を発生させるための重要な要素である。しかるに、本発明によれば定位置で円筒形包装用容器を回転させるため、均一な紫外線の照射が可能となり、従来不可能であった曲面へのちぢみ印刷が可能となるものである。
【００１６】
また、包装用容器自体にちぢみ印刷を行うため、サンドブラスト加工を施したような高級感ある仕上がりを印刷による低コストで表現できる。
【００１７】
更には、インクにカラーを追加できるので様々な表現が可能となると共に、充填液の色で反射色が変化するのでデザインの領域が無限になる。
【００１８】
また、握持部分にちぢみ印刷を施せば、手に持った際の滑り止め効果も発揮することが可能である。
【図面の簡単な説明】
【００１９】
【図１】本発明にかかる包装用容器の正面図。
【図２】作業工程を示す概略構成図。
【発明を実施するための形態】
【００２０】
以下、本発明の実施形態を図面に基づいて具体的に説明する。なお、本発明は、これらの実施形態に限定されるものではない。本発明の趣旨を逸脱しない限り、種々の構成が可能である。
【００２１】
図柄の形成は、紫外線硬化型インキの一種であるちぢみインクを使用して、スクリーン印刷等の汎用の印刷技術により行うことができる。
【００２２】
スクリーン印刷によれば、版に柔軟性があるため、円筒形容器のような立体物にも模様塗膜を容易に行える。
【００２３】
図１はちぢみ印刷を施した包装用容器を示すものである。包装用容器１の側面曲面部にちぢみ模様２が施されるものである。
【００２４】
具体的には、図２に示すように、スクリーン自動印刷機により側面にちぢみインクを模様塗膜した包装用容器１を治具５で挟持し、ボトル搬送装置４により低圧水銀ランプ３の前面に搬送する。ここでボトル搬送装置４を停止し、治具５を回転させながら低圧水銀ランプ３による紫外線照射によりちぢみ模様を発生させる。この際、図示されていないタイマーにより紫外線照射時間を適宜管理し、好適なちぢみ模様を表現するものである。
【００２５】
次いでボトル搬送装置４により、包装用容器１を高圧水銀ランプ６の前面まで搬送し、
高圧水銀ランプ６によりＵＶ照射を行いちぢみ模様を硬化させるものである。
【００２６】
上記ボトル搬送装置４としては、回転駆動される無端チェーンあるいは無端ベルトを用いることが好ましい。
【００２７】
治具５は、当該無端チェーンあるいは無端ベルトに挟持されるものである。この治具５は包装用容器を載置する台部５ａ、及び回転軸５ｂそして回転軸５ｂの下端に設けられた噛合部５ｃより成り、噛合部５ｃがワーク回転駆動部８と噛合することで回転するものである。このワーク回転駆動部８はワーク回転駆動モーター７により回転駆動されるものである。
【００２８】
また、開閉自在な隔壁９を設けることで、低圧水銀ランプ３や高圧水銀ランプ６による紫外線照射時に、照射対象外の包装用容器等にＵＶ照射されることを防止可能に設けてある。
【符号の説明】
【００２９】
１・・包装用容器
２・・ちぢみ模様
３・・低圧水銀ランプ
４・・ボトル搬送装置
５・・治具
５ａ・・台部
５ｂ・・回転軸
５ｃ・・噛合部
６・・高圧水銀ランプ
７・・ワーク回転駆動モーター
８・・ワーク回転駆動部
９・・隔壁
【図１】
2012218814.tif 000003
【図２】
2012218814.tif 000004